(57)【要約】【課題】操作感を高めるとともに、占有スペースを低減する上で有利なスイッチ装置を提供する。【解決手段】スイッチ装置１１は、開閉接片１２と、操作部材１４と、ケース１８とを備えている。開閉接片１２は、押圧部１２０６が突出位置から没入位置に押圧されることで開閉動作を行なう。操作部材１４は、操作ボタン１０と、開閉接片１２の押圧部１２０６に当接可能な当接部１４０６と、本体１４０２の左右両側に設けられた軸１４０８とを有している。ケース１８の側壁１８０２に設けられた案内溝１８０８は操作部材１４の３つの軸１４０８にそれぞれ対応して形成され、開閉接片１２の押圧部１２０６の上方箇所Ａを中心として前方に延在する円弧状に形成されている。３つの軸１４０８が対応する案内溝１８０８に挿入されることで案内溝１８０８の延在方向に滑動可能に結合される。【選択図】        図６
2004319242.tif 000002
【特許請求の範囲】
【請求項１】
筐体に組み込まれた操作部材を押圧操作することで開閉接片が開閉されるスイッチ装置であって、
前記操作部材と、前記筐体内に配設され前記操作部材の左右に設けられたガイド部材とを備え、
前記操作部材は、筐体の表面から突出する操作部と、前記開閉接片に当接可能な当接部と、前記操作部と当接部を接続する本体と、前記本体の左右両側に設けられた第１ガイド部とを有し、
前記ガイド部材は、前記第１ガイド部に係合する第２ガイド部とを有し、
前記第１ガイド部および第２ガイド部の一方は前記開閉接片の上方箇所を中心として前後方向に延在する円弧状の案内溝によって構成され、
前記第１ガイド部および第２ガイド部の他方は前記案内溝に該案内溝の延在方向に移動に滑動可能に結合される係合凸部によって構成され、
前記操作部材は、前記第１ガイド部と第２ガイド部とが結合されて前記筐体内に配設された状態で該操作部材の自重により前記当接部が前記開閉接片に当接しかつ前記操作部が筐体の表面から突出するように配設されている、
ことを特徴とするスイッチ装置。
【請求項２】
前記筐体内にケースが設けられ、前記左右のガイド部材はケースの左右側面で構成され、前記ケースの左右側面の間に前記操作部材を収容する収容空間が設けられていることを特徴とする請求項１記載のスイッチ装置。
【請求項３】
前記筐体内にケースが設けられ、前記左右のガイド部材はケースの左右側面で構成され、前記第１ガイド部は、前記操作部材の左右両側から突設された係合凸部で構成され、前記第２ガイド部は、前記ケースの左右側面に形成された案内溝で構成され、前記ケースは案内溝部分で上下に分割可能に構成されていることを特徴とする請求項１記載のスイッチ装置。
【請求項４】
前記操作部材は左右に並べられて複数設けられ、前記ガイド部材は各操作部材の左右にそれぞれ設けられ、前記筐体内にケースが設けられ、前記ケースは各操作部材の左右に位置する複数の側面を有し、前記左右のガイド部材は前記側面で構成され、前記第１ガイド部は、前記操作部材の左右両側から突設された係合凸部で構成され、前記第２ガイド部は、前記ケースの左右側面に形成された案内溝で構成され、前記ケースは案内溝部分で上下に分割可能に構成されていることを特徴とする請求項１記載のスイッチ装置。
【発明の詳細な説明】
【０００１】
【発明の属する技術分野】
本発明はスイッチ装置に関する。
【０００２】
【従来の技術】
従来から、電子機器の筐体に組み込まれ操作部を押圧することによって開閉接片の開閉を行なうスイッチ装置が提供されている（例えば、特許文献１、図２０参照）。
このようなスイッチ装置は、上下方向に延在する押し部材と、該押し部材に取着され前後方向に延在するアームとを有するレバー部材を備えている。前記押し部材はその上端に設けたヒンジを介して筐体箇所に固定することで該ヒンジを支点にして前後方向に揺動可能に構成され、前記押し部材の中間にボタンが設けられている。また、前記アームの先端に臨む筐体内部の箇所に開閉接片が配設されている。
そして、前記ボタンを押圧することで前記押し部材を揺動させ、これによりアーム先端で前記開閉接片を押圧し該開閉接片を開閉動作させている。
【０００３】
【特許文献１】
特開２００１−１７６３５０号公報
【０００４】
【発明が解決しようとする課題】
このような従来のスイッチ装置では、前記押し部材と開閉接片との間の取付け誤差やこれら各部材の寸法誤差が生じる関係上、前記アームの先端と開閉接片との間に隙間が生じることが避けられない。したがって、前記操作部を押圧した際に前記隙間の分だけ遊びが生じるため、操作部を操作する手にはその遊びが感じられてからアームの先端が開閉接片に当接し該開閉接片の開閉動作がなされるので操作感を向上する上で不利であった。また、前記押し部材が上下方向に延在するため、筐体内で大きな占有スペースを必要とし筐体の小型化を図る上でも不利であった。
本発明は、このような事情に鑑みてなされ、その目的とするところは、操作感を高めるとともに、占有スペースを低減する上で有利なスイッチ装置を提供することにある。
【０００５】
【課題を解決するための手段】
本発明のトレー機構は、前記目的を達成するため、筐体に組み込まれた操作部材を押圧操作することで開閉接片が開閉されるスイッチ装置であって、前記操作部材と、前記筐体内に配設され前記操作部材の左右に設けられたガイド部材とを備え、前記操作部材は、筐体の表面から突出する操作部と、前記開閉接片に当接可能な当接部と、前記操作部と当接部を接続する本体と、前記本体の左右両側に設けられた第１ガイド部とを有し、前記ガイド部材は、前記第１ガイド部に係合する第２ガイド部とを有し、前記第１ガイド部および第２ガイド部の一方は前記開閉接片の上方箇所を中心として前後方向に延在する円弧状の案内溝によって構成され、前記第１ガイド部および第２ガイド部の他方は前記案内溝に該案内溝の延在方向に移動に滑動可能に結合される係合凸部によって構成され、前記操作部材は、前記第１ガイド部と第２ガイド部とが結合されて前記筐体内に配設された状態で該操作部材の自重により前記当接部が前記開閉接片に当接しかつ前記操作部が筐体の表面から突出するように配設されていることを特徴とする。
そのため、本発明によれば、操作部を押圧すると、操作部材は、係合凸部が案内溝によって案内されて移動し、これにより当接部が開閉接片を押圧して開閉接片の開閉動作が行なわれる。したがって、当接部が開閉接片に常時当接しているため、操作部を押圧すると直ちに開閉接片を開閉動作させることができる。また、上方あるいは下方に延在する部材がないため占有スペースが少なくて済む。
【０００６】
【発明の実施の形態】
以下、本発明によるスイッチ装置の実施の形態を図面に基づいて詳細に説明する。
図１は本発明のスイッチ装置が適用された光ディスク装置の斜視図、図２はスイッチ装置部分の側面図、図３は操作部材およびケースの組立斜視図、図４はケースの斜視図、図５（Ａ）は操作部材の斜視図、（Ｂ）は操作部材の上下を反転させた状態の斜視図、図６はスイッチ装置の構成図、図７はスイッチ装置の説明図である。
【０００７】
図１に示すように、光ディスク装置１００は、高さと、左右方向の幅と、前後方向の長さを有する矩形板状の筐体１０２を有している。
筐体１０２の操作部には前パネル１０３が取着され、前パネル１０３は、上部前面１０４と、下部前面１０６と、これら上部前面１０４と下部前面１０６とを接続する傾斜面１０８を備え、傾斜面１０８は前方で斜め上方を向いている。
下部前面１０６には、細長形状の開口１１６が形成され、開口１１６を介してトレー１１８が筐体１０２の内部と外部にわたって出没可能に設けられ、下部前面１１６の左端部には操作つまみ１２３が設けられている。
トレー１１８は、矩形板状のトレー本体の上面に円盤状の回転部１２０がその中心軸を中心として回転可能に設けられている。回転部１２０には、その周方向に沿って光ディスク２を収容するディスク収容部が５個並べて設けられている。そして、回転部１２０が回転することによって各ディスク収容部に収容された光ディスク２が１枚選択され、選択された光ディスク２が回転駆動手段によって回転され光ピックアップによって情報の記録や再生が行なわれるように構成されている。
開口１１６の上方の下部前面１０６の幅方向中央には、表示部１１５が幅方向に延在して設けられている。表示部１１５は、光ディスク装置１００の操作状態や動作状態に応じて点灯、滅灯あるいは点滅するように駆動される。
図６に示すように、筐体１０２内部において、上部前面１０４および下部前面１０６の後方にはこれら上部前面１０４および下部前面１０６と間隔をおいて対面するように矩形板状のプリント基板１０７が上下方向および左右方向に延在して設けられている。
図１に示すように、上部前面１０４の幅方向の中央には、幅方向に延在する矩形板の開口が形成され、該開口には透明板１１２が組み込まれ、図６に示すように、該透明窓１１２の後方に臨むプリント基板１０７箇所に矩形板状の蛍光表示管１１４が幅に延在して配設されている。
傾斜面１０８の左端部には電源スイッチを開閉する操作ボタン１２２が設けられている。
【０００８】
傾斜面１０８の幅方向中央箇所には５つのディスク選択用の操作ボタン１０が幅方向に沿って直線状に並べて設けられている。
各操作ボタン１０はそれぞれスイッチ装置１１を構成しており、これらスイッチ装置１１は前記５つのディスク収容部に対応して設けられ、光ディスク装置１００は、何れか１つの操作ボタン１０が押圧されることにより、該操作ボタン１０に対応するディスク収容部に載置された光ディスク２を選択しその光ディスク２に対して記録または再生動作がなされるように構成されている。
【０００９】
図６に示すように、各スイッチ装置１１は、開閉接片１２と、操作部材１４と、ケース１８とを備えている。
開閉接片１２は、プリント基板１０７の前面に設けられたタクトスイッチで構成されている。
開閉接片１２はプリント基板１０７の前面に取着され、開閉接片１２は、その本体１２０２に設けられた接続端子１２０４を介してプリント基板１０７に接続されている。
本体１２０２の前部には押圧部１２０６が設けられている。押圧部１２０６は、本体１２０２から前方に突出した突出位置と、本体１２０２に没入した没入位置との間を移動可能に設けられ、押圧部１２０６は、本体１２０２の内部のばね手段により突出位置に常時付勢されている。
開閉接片１２は、押圧部１２０６が突出位置から没入位置に押圧されることで開閉動作を行なうように構成されている。
【００１０】
操作部材１４は、図５（Ａ）、（Ｂ）に示すように、傾斜面１０８（特許請求の範囲の筐体の表面に相当）から突出する操作ボタン１０（特許請求の範囲の操作部に相当）と、開閉接片１２の押圧部１２０６に当接可能な当接部１４０６と、操作ボタン１０と当接部１４０６を接続する本体１４０２と、本体１４０２の左右両側に設けられた軸１４０８（特許請求の範囲の第１ガイド部および係合凸部に相当）とを有している。
操作ボタン１０は、本体１４０２の前部から軸状に突出され傾斜面１０８の孔１０８Ａを通って傾斜面１０８の表面から突出している。
当接部１４０６は、本体１４０２の後部で構成されている。
本体１４０２は、左右の側面１４０７を有し、軸１４０８は、左右の側面１４０７に突設されている。本実施の形態では左右の側面１４０７の前寄り箇所に軸１４０８が上下に間隔をおいて２つ設けられ、左右の側面１４０７の後寄り箇所に軸１４０８が１つ設けられている。
【００１１】
ケース１８は、図３、図４に示すように、複数の側壁１８０２と、単一の上壁１８０４と、単一の前壁１８０６とを有している。
各側壁１８０２は、側壁１８０２の左右方向に間隔をおき互いに平行をなすように設けられている。
上壁１８０４は、各側壁１８０２の上部を接続し左右方向に延在形成されている。
前壁１８０６は、各側壁１８０２の前部を接続し左右方向に延在形成されている。
前記側壁１８０２間の間隔は、これら側壁１８０２の間で操作部材１４が移動できる寸法で形成され、したがって、各側壁１８０２間に操作部材１４を収容する収容空間１８１０が設けられている。本実施の形態では、側壁１８０２により特許請求の範囲のガイド部材が構成されている。
各側壁１８０２には案内溝１８０８が設けられ、本実施の形態では案内溝１８０８により特許請求の範囲の第２のガイド部が構成されている。
案内溝１８０８は、操作部材１４の３つの軸１４０８にそれぞれ対応して形成され、図３、図７に示すように、開閉接片１２の押圧部１２０６の上方箇所を中心Ａとして前方に延在する円弧状に形成されている。そして、３つの軸１４０８が対応する案内溝１８０８に挿入されることで案内溝１８０８の延在方向に滑動可能に結合されるようになっている。
また、ケース１８は、各案内溝１８０８の部分、より詳細にいえば各案内溝１８０８の上下中間部を通る分割線１８１２の部分で上下に分割可能に構成されている。すなわち、上下に分割されたケース１８のうち、上部分１８Ａは上壁１８０４と側壁１８０２の半部とにより構成され、下部分１８Ｂは前壁１８０６と側壁１８０２の残りの半部とにより構成されている。そして、これら上部分１８Ａと下部分１８Ｂとを切り離した状態でこれらの間に複数の操作部材１４を位置させ、各操作部材１４の３つの軸１４０８を対応する案内溝１８０８に挿入した後、上部分１８Ａと下部分１８Ｂとを連結することによってケース１８に複数の（本実施の形態では５つの）操作部材１４が組み込まれるように構成されている。
そして、各操作部材１４は、３つの軸部１４０８と案内溝１８０８とが結合されて筐体１０２内に配設された状態で該操作部材１４の自重により当接部１４０６が開閉接片１２の押圧部１２０６に当接しかつ操作ボタン１０が傾斜面１０８から突出するように配設されている。
【００１２】
スイッチ装置１１の組み立ておよび組付けは、次のように行なわれる。
図６に示すように、操作部材１４が組み込まれたケース１８を、各操作部材１４の当接部１４０６が各押圧部１２０６に当接するように位置決めし、この状態でケース１８をプリント基板１０７に取着する。
次に、各操作部材１４の操作ボタン１０を前パネル１０３の後面から各孔１０８Ａに通しつつ、前パネル１０３を筐体１０７の操作部に取り付ける。
これにより、各操作部材１４は、筐体１０７内に配設された状態で操作部材１４の自重により当接部１４０６が押圧部１２０６を介して開閉接片１２に当接し、かつ、操作ボタン１０が傾斜面１０８から突出するように配設される。これにより、図１に示すように、各操作ボタン１０が傾斜面１０８の幅方向に沿って直線状に並べて設けられることになる。
【００１３】
次にスイッチ装置１１の作用および効果について説明する。
操作部材１４が押圧操作される前の状態では、図６に示すように、操作部材１４の当接部１４０６は、突出位置の押圧部１２０６に当接した状態となっているため、操作ボタン１０も実線で示す突出位置に位置している。
ここで、操作ボタン１０を前記ばね部材の付勢力に抗して傾斜面１０８に向けて押圧すると、操作部材１４は、軸１４０８が案内溝１８０８によって案内されて二点鎖線で示す位置に移動し、より詳細には、操作部材１４は中心Ａを半径とする円運動を行ない、当接部１４０６が押圧部１２０６を押圧して二点鎖線で示す没入位置に移動させる。これにより、開閉接片１２の開閉動作が行なわれ、押圧されたスイッチ装置１１に対応する光ディスク２の選択動作がなされる。
操作ボタン１０に対する押圧を解除すると、押圧部１２０６は前記付勢力によって実線で示された突出位置に復帰し、これにより、操作ボタン１０も実線で示された位置に戻る。
したがって、本実施の形態のスイッチ装置１１によれば、当接部１４０６が開閉接片１２に常時当接しており両者の間に遊びが無いため、操作ボタン１０を押圧すると直ちに開閉接片１２を開閉動作させ開閉接片１２の開閉動作の感触が確実に手に伝わり、スイッチ装置１１の操作感を向上させる上で有利となる。
また、図６に示すように、スイッチ装置１１は、操作部材１４の軸１４０８が開閉接片１２の上方箇所を中心Ａとして前後方向に延在するケース１８の案内溝１８０８に沿って案内される構成であるため、ケース１８の上方あるいは下方に操作部材１４が延在してスペースを占有することが無いので、スイッチ装置１１の上方あるいは下方の箇所に他の部材、本例では蛍光表示管１１４やトレー１１８などを配置することができ、スイッチ装置１１が組み込まれる電子機器の小型化を図る上で有利となる。
【００１４】
また、操作部材１４が円弧状に移動されるので、操作ボタン１０の押圧方向と、開閉接片１２の押圧部１２０６の押圧方向はともに前記円弧の接線方向となる。
このため、押圧部１２０６の押圧方向（出没方向）に対する操作ボタン１０の押圧方向を一致させずに変更することができる。
したがって、操作ボタン１０の押圧方向を、押圧部１２０６の押圧方向に対して拘束されずに設定でき、操作部材１４の配置位置や姿勢を変えることで筐体の設計やデザインの自由度を高めることができ、これにより高級感を高める上でも有利となる。
【００１５】
次に、本発明と従来装置とを比較して説明する。
図８は従来のスイッチ装置の一例を示す構成図である。
図８に示すように、スイッチ装置３０は押し部材３２を備えている。
押し部材３２は上下方向に延在し、その一端が薄肉状のヒンジ部３２０２を介して筐体４０箇所に固定されており、揺動部材３２の他端には当接部３２０４が前後方向に突設されている。該当接部３２０４は、プリント基板４２に取着された開閉接片４４の押圧部４６と対向するように構成されている。
押し部材３２の中間部には、筐体４０の外部から押圧可能な操作ボタン３２０６が形成されている。
操作ボタン３２０６を押圧しない状態では、ヒンジ部３２０２の弾性により当接部３２０４は押圧部４６から離間した状態となっている。そして、操作ボタン３２０６を押圧すると、押し部材３２がヒンジ部３２０２を支点にして揺動され当接部３２０４が開閉接片４２の押圧部４６を押圧することで開閉接片４２の開閉動作がなされる。
このように構成された従来のスイッチ装置３０では、スイッチ装置３０および開閉接片４２の間における取付誤差やスイッチ装置３０および開閉接片４２の寸法誤差が生じる関係上、操作ボタン３２０６が押圧されていない状態では当接部３２０４と押圧部４６との間に隙間が生じることが避けられない。
したがって、操作ボタン３２０６を押圧した際に前記隙間の分だけ遊びが生じるため、操作ボタン３２０６を操作する手にはその遊びが感じられてから当接部３２０４が押圧部４６に当接し開閉接片４２の開閉動作がなされた感触が伝わるため、スイッチ装置３０の操作感を向上する上で不利である。これに対して本発明のスイッチ装置ではこのような遊びがないため、従来装置に比較してスイッチ装置の操作感を向上させる上で有利である。
また、従来のスイッチ装置３０では、押し部材３２が上下方向に延在するため、大きな占有スペースを必要とし小型化を図る上で不利である。これに対して本発明のスイッチ装置では、従来装置に比較して占有スペースが少なくて済み小型化を図る上で有利である。
【００１６】
なお、前記の実施の形態では、本発明を光ディスク装置に適用した場合について説明したが、その他の電子機器にも本発明は無論適用される。
【００１７】
【発明の効果】
以上説明したように本発明によれば、操作感を高めるとともに、占有スペースを低減する上で有利なスイッチ装置を提供することができる。
【図面の簡単な説明】
【図１】本発明のスイッチ装置が適用された光ディスク装置の斜視図である。
【図２】スイッチ装置部分の側面図である。
【図３】操作部材およびケースの組立斜視図である。
【図４】ケースの斜視図である。
【図５】（Ａ）は操作部材の斜視図、（Ｂ）は操作部材の上下を反転させた状態の斜視図である。
【図６】スイッチ装置の構成図である。
【図７】スイッチ装置の説明図である。
【図８】従来のスイッチ装置の一例を示す構成図である。
【符号の説明】
１００……光ディスク装置、１０２……筐体、１０……操作ボタン、１１……スイッチ装置、１２……開閉接片、１４……操作部材、１８……ケース、１４０２……本体、１４０６……当接部、１４０８……軸、１８０２……側壁、１８０８……案内溝。
【図１】
2004319242.tif 000003
【図２】
2004319242.tif 000004
【図３】
2004319242.tif 000005
【図４】
2004319242.tif 000006
【図５】
2004319242.tif 000007
【図６】
2004319242.tif 000008
【図７】
2004319242.tif 000009
【図８】
2004319242.tif 000010